(57)【特許請求の範囲】
【請求項１】
相対向する左右一対の梯子状枠体と、上記梯子状枠体間に架設された足場板と、同じく、上記梯子状枠体間に架設された手摺と、上記足場板の外周に起立する前後の巾木と左右の巾木とを備え、
上記梯子状枠体は、前後一対の中空な縦支柱と、上記縦支柱間に貫通して架設された複数の筒状支持桿とで構成され、
上記手摺は、任意の上記支持桿に着脱自在に嵌合する支持部を有する左右一対の縦フレームと、上記縦フレーム間に架設された横フレームとを備え、
さらに、上記足場板を上記支持桿に着脱させる足場板ロック機構と、上記縦フレームを上記支持桿に着脱させる手摺ロック機構と、上記巾木を上記縦支柱に着脱させる巾木ロック機構とを設け、
上記手摺ロック機構は、上記縦フレームに突設された保持金具と、上記保持金具に回転自在に結合されたロック用リンクとを備え、
上記ロック用リンクは、上記保持金具から上記支持桿方向に延びる水平リンクと、上記水平リンクの先端に設けられて回転させると、上記支持桿の外周に係合する引っ掛け部とを備えることを特徴とする吊り足場。
【請求項２】
上記縦支柱を縦方向に沿って一つ又は複数の支柱ロック機構を介して着脱自在に連結し、
上記足場板の端部を上記足場板ロック機構を介して上記支持桿のいずれか１つに選択的に着脱自在に連結し、
上記手摺における上記縦フレームの両端部を上記いずれか二つの支持桿の端部に選択的に着脱自在に嵌合させると共に、上記縦フレームの中間部を上記縦支柱と上記支持桿とに上記手摺ロック機構を介して着脱自在に連結し、
さらに、上記各左右の巾木の両端部をそれぞれ上記巾木ロック機構を介して上記縦支柱に着脱自在に連結したことを特徴とする請求項１に記載の吊り足場。
【請求項３】
上記手摺の支持部が上記縦フレームの端部から張り出された突起であって、上記支持桿の端部開口内に上記支持部を嵌合することで、上記手摺を上記梯子状枠体に保持することを特徴とする請求項１または２に記載の吊り足場。
【請求項４】
上記縦支柱は上段支柱と下段支柱と、上段支柱と下段支柱とを着脱自在に連結する支柱ロック機構を備え、
上記支柱ロック機構は、
上記下段支柱内の上部に下部が固定されたスペーサと、
上記上段支柱と上記スペーサを貫通するロックピンと、
上記ロックピンに連結され、上記ロックピンが先端側から抜けるのを防止するピン保持部材と、
上記ピン保持部材の上下および左右が異なる位置から上記ロックピンの先端側に向けて延び、上記異なる位置を支点にして回動する抜け止めバネを備え、
上記抜け止めバネが、上記上段支柱外周に向けて附勢して、上記ロックピンが基端側から抜けるのを防止することを特徴とする請求項１から３のいずれか一項に記載の吊り足場。
【請求項５】
上記足場板ロック機構は、
上記足場板の端部に形成された湾状溝と、
上記足場板の側面に突設された軸を中心に回動し、上記湾状溝を開閉する足場カムと、
上記軸に回転自在に支持され、上記足場カムを閉方向に附勢するバネ部材とを備えることを特徴とする請求項１から４のいずれか一項に記載の吊り足場。
【請求項６】
上記足場板は、
前後一対の梁と、
上記前後一対の梁に一体に架設された左右一対の梁とで形成される足場枠と、
上記足場枠上に敷設された踏み板と、
上記足場枠上に上記踏み板と並べて開閉自在にヒンジ結合された開閉板と、
上記開閉板に設けた開閉板ロック機構とを備え、
上記開閉板ロック機構は、
上記前後一対の梁の一方側内周面に突設されたストッパピンと、
上記開閉板の下面に上記ストッパピンと対向して垂設され、下部に湾状溝が形成された開閉板用ブラケットと、
上記開閉板用ブラケットの側面に軸で連結されて、上記軸を中心に回動し、上記開閉板用ブラケットの湾状溝を開閉する開閉板用カムと、
上記軸に回転自在に支持され、上記開閉板用カムを閉方向に附勢するバネ部材とを備え、
上記開閉板用カムの基端部が、上記開閉板に設けられた開口部から上記開閉板の上方に突出されて、上記開閉板用カムの開閉操作を行うことを特徴とする請求項１から５のいずれか一項に記載の吊り足場。
【請求項７】
上記前後の巾木が、板状の巾木本体と、上記巾木本体の上端に外方に向けて一体に連設された補強フレームと、上記巾木本体の外周面側に突設されたＬ字状の支持片と、同じく巾木本体の外面両側に突設された耳片と、上記補強フレームと上記支持片に縦方向に対向してそれぞれ形成されたピン挿入孔と、上記耳片に形成されたロックピン挿入孔とを備え、
上記耳片のロックピン挿入孔にロックピンを挿入することで上記前後の巾木を縦支柱に着脱自在に連結する第一巾木ロック機構を備え、
上記左右の巾木が、板状の巾木本体と、上記巾木本体の上端に外方に向けて一体に連設された補強フレームとを備え、上記補強フレームの一端部に固定ピン挿入孔を設けた支持板が連結され、上記補強フレームの他端部には、コの字状の取付フレームを保持する連結板が連結されてなり、
上記固定ピン挿入孔と、上記前後の巾木の上記補強フレームと上記支持片に設けられたピン挿入孔に固定ピンを挿入し、上記取付フレームを上記縦支柱に嵌合させることで、上記左右の巾木を上記前後の巾木に着脱自在に連結する第二巾木ロック機構を備えることを特徴とする請求項１から６のいずれか一項に記載の吊り足場。
【発明の詳細な説明】
【技術分野】
【０００１】
この発明は、ビルディング、橋梁等の鉄骨における溶接、交鋲等の高所作業の際に利用する吊り足場の改良に関する。
【背景技術】
【０００２】
吊り足場は、高所作業の際に利用される足場であって、例えば、橋梁などの構造物にフック等の吊持手段によって、橋梁の作業位置に沿うように吊持される。
【０００３】
吊り足場には、特許文献１の吊り足場のように、相対向する一対の支柱と上記一対の支柱同士を連結させる複数の支持桿とからなる梯子状の対向する一対の縦枠体と、上記縦枠体間に架設した手摺と、対向する一対の支持桿間に架設した複数の足場板とで、多段足場を構成するものがある。
【０００４】
この吊り足場は、縦枠体が梯子状に形成されているため、縦枠体を使って、作業員の昇降が可能になり、架設された上下の足場板上を自在に行き来することができる。
【０００５】
これにより、特許文献１の吊り足場においては、構造物の作業箇所に合わせて作業員が足場板上を移動すればよいので、高所での作業効率を向上させることができる。
【先行技術文献】
【特許文献】
【０００６】
【特許文献１】特開平９−２２８６２６
【発明の概要】
【発明が解決しようとする課題】
【０００７】
しかしながら、特許文献１の吊り足場は、高所で作業するにあたって、作業効率が優れる点で、基本的に問題はないが、実際に高所作業をするにあたって、少々改善が要望されている点がある。
【０００８】
すなわち、従来の吊り足場においては、足場板の高さ周辺の作業をする場合に、位置が低すぎたり、高すぎたりして、足場板からでは作業がしにくく、他の箇所に比べて作業効率が落ちてしまう恐れがある。
【０００９】
これに対して、特許文献１の吊り足場では、梯子の足掛け部となる支持桿に足場板を着脱可能に架設することで、作業位置に合わせて、足場板の架設高さ位置を任意に設定できる利点がある。
【００１０】
しかしながら、特許文献１の吊り足場においては、足場板の高さ位置は変更できるものの、手摺は縦枠体に固定状態で連結されており、足場板の位置に追従して手摺の高さ位置は変更できない不具合がある。足場板の高さ位置と手摺の高さ位置の関係は、法令（労働安全衛生規則第５６３条（３）イ）で、足場の高さ位置から、高さ１５センチメートル以上４０センチメートル以下の位置に桟（手摺）を設けなければならないことが、厳密に定められており、手摺位置を変更することができない特許文献１の吊り足場では、足場板の高さ位置を変更してしまうと上記法令に違反してしまう恐れがあった。
【００１１】
そこで、本発明の目的は、作業位置に対応して足場板の高さ位置を変更することはもとより、この足場板の高さ位置に追従して手摺の高さ位置を変更でき、容易に手摺と足場板の距離を一定にしたまま高さ位置を変更して、作業効率を落とさずに作業できる吊り足場を提供することである。
【課題を解決するための手段】
【００１２】
前記課題を解決するための手段は、相対向する左右一対の梯子状枠体と、上記梯子状枠体間に架設された足場板と、同じく、上記梯子状枠体間に架設された手摺と、上記足場板の外周に起立する前後の巾木と左右の巾木とを備え、上記梯子状枠体は、前後一対の中空な縦支柱と、上記縦支柱間に貫通して架設された複数の筒状支持桿とで構成され、上記手摺は、任意の上記支持桿に着脱自在に嵌合する支持部を有する左右一対の縦フレームと、上記縦フレーム間に架設された横フレームとを備え、さらに、上記足場板を上記支持桿に着脱させる足場板ロック機構と、上記縦フレームを上記支持桿に着脱させる手摺ロック機構と、上記巾木を上記縦支柱に着脱させる巾木ロック機構とを設け、上記手摺ロック機構は、上記縦フレームに突設された保持金具と、上記保持金具に回転自在に結合されたロック用リンクとを備え、上記ロック用リンクは、上記保持金具から上記支持桿方向に延びる水平リンクと、上記水平リンクの先端に設けられて回転させると、上記支持桿の外周に係合する引っ掛け部とを備えることを特徴とする。この場合、上記縦支柱を縦方向に沿って一つ又は複数の支柱ロック機構を介して着脱自在に連結し、上記足場板の端部を上記足場板ロック機構を介して上記支持桿のいずれか１つに選択的に着脱自在に連結し、上記手摺における上記縦フレームの両端部を上記いずれか二つの支持桿の端部に選択的に着脱自在に嵌合させると共に、上記縦フレームの中間部を上記縦支柱と上記支持桿とに上記手摺ロック機構を介して着脱自在に連結し、さらに、上記各左右の巾木の両端部をそれぞれ上記巾木ロック機構を介して上記縦支柱に着脱自在に連結してもよい。
【００１３】
また、上記手摺の支持部が上記縦フレームの端部から張り出された突起であって、上記支持桿の端部開口内に上記支持部を嵌合することで、上記手摺を上記梯子状枠体に保持するようにしてもよい。この構成によると、一定の間隔で設けられた上記支持桿の中空部を利用して手摺を上記梯子状枠体に固定できるため、上記足場板の高さ位置を変更したときに、上記足場板が移動した上記支持桿の数だけ上記手摺を移動すれば、手摺と足場板の距離を一定にしながら、高さ位置を変更することが容易にできる。さらに、手摺をボルトやピンを使用して固定する必要がないため、設置コストを削減できる。
【００１４】
また、上記手摺ロック機構の構成によると、上記支持部が上記支持桿内から抜けようとすると、上記引っ掛け部が上記梯子状枠体に引っ掛かって、抜け止めし、上記手摺が上記梯子状枠体から脱落することを防止することができる。
【００１５】
また、上記縦支柱は上段支柱と下段支柱と、上段支柱と下段支柱とを着脱自在に連結する支柱ロック機構を備え、上記支柱ロック機構は、上記下段支柱内の上部に下部が固定されたスペーサと、上記上段支柱と上記スペーサを貫通するロックピンと、上記ロックピンに連結され、上記ロックピンが先端側から抜けるのを防止するピン保持部材と、上記ピン保持部材の上下および左右が異なる位置から上記ロックピンの先端側に向けて延び、上記異なる位置を支点にして回動する抜け止めバネを備え、上記抜け止めバネが、上記上段支柱外周に向けて附勢して、上記ロックピンが基端側から抜けるのを防止するようにしてもよい。この構成によると、吊り足場の高さを構造物の大きさに合わせて変更できると共に、上記ピン保持部材と上記抜け止めバネで上記ロックピンの抜けを両側から防止し、上記縦支柱と他の縦支柱の連結を強固なものにすることができる。
【００１６】
上記足場板ロック機構は、上記足場板の端部に形成された湾状溝と、上記足場板の側面に突設された軸を中心に回動し、上記湾状溝を開閉する足場カムと、上記軸に回転自在に支持され、上記足場カムを閉方向に附勢するバネ部材とを備えるようにしてもよい。この構成によると、上記足場板が上記支持桿から外れて脱落してしまうことを防止すると共に着脱自在にすることができる。
【００１７】
また、上記足場板は、前後一対の梁と、上記前後一対の梁に一体に架設された左右一対の梁とで形成される足場枠と、上記足場枠上に敷設された踏み板と、上記足場枠上に上記踏み板と並べて開閉自在にヒンジ結合された開閉板と、上記開閉板に設けた開閉板ロック機構とを備え、上記開閉板ロック機構は、上記前後一対の梁の一方側内周面に突設されたストッパピンと、上記開閉板の下面に上記ストッパピンと対向して垂設され、下部に湾状溝が形成された開閉板用ブラケットと、上記開閉板用ブラケットの側面に軸で連結されて、上記軸を中心に回動し、上記開閉板用ブラケットの湾状溝を開閉する開閉板用カムと、上記軸に回転自在に支持され、上記開閉板用カムを閉方向に附勢するバネ部材とを備え、上記開閉板用カムの基端部が、上記開閉板に設けられた開口部から上記開閉板の上方に突出されて、上記開閉板用カムの開閉操作を行うようにしてもよい。この構成によると、上記開閉板が開閉自在になっているため、上記梯子状枠を昇降して内側から安全に足場間を移動することができ、さらに、上記開閉板は、閉じるときには、上記開閉板ロック機構によって、ロックされて、下から吹き上げられたとしても開いてしまうことがなく、反対に上記開閉板を開けるときには、上記開閉板に設けられた上記開口部から突出している上記開閉板用カムの基端部を上方から押すだけで、ロックが外れて、上記開閉板を開けることができる。
【００１８】
また、上記前後の巾木が、板状の巾木本体と、上記巾木本体の上端に外方に向けて一体に連設された補強フレームと、上記巾木本体の外周面側に突設されたＬ字状の支持片と、同じく巾木本体の外面両側に突設された耳片と、上記補強フレームと上記支持片に縦方向に対向してそれぞれ形成されたピン挿入孔と、上記耳片に形成されたロックピン挿入孔とを備え、上記耳片のロックピン挿入孔にロックピンを挿入することで上記前後の巾木を縦支柱に着脱自在に連結する第一巾木ロック機構を備え、上記左右の巾木が、板状の巾木本体と、上記巾木本体の上端に外方に向けて一体に連設された補強フレームと、上記補強フレームの一端部に固定ピン挿入孔を設けた支持板が連結され、上記補強フレームの他端部には、コの字状の取付フレームを保持する連結板が連結されてなり、上記固定ピン挿入孔と、上記前後の巾木の上記補強フレームと上記支持片に設けられたピン挿入孔に固定ピンを挿入し、上記取付フレームを上記縦支柱に嵌合させることで、上記左右の巾木を上記前後の巾木に着脱自在に連結する第二巾木ロック機構を備えるようにしてもよい。この構成によると、足場板上からの工具等の落下を防ぐと共に、ロックピンと固定ピンを抜くだけで取り外しが可能なため、巾木を再利用することができる。
【発明の効果】
【００１９】
その結果、作業位置に対応して足場板と手摺の高さ位置を変更でき、容易に手摺と足場板の距離を一定にしたまま高さ位置を変更し、作業効率を落とさずに作業できる。
【図面の簡単な説明】
【００２０】
【図１】本実施の形態に係る吊り足場の全体を示す斜視図である。
【図２】（ａ）は、本実施の形態に係る足場板を示す平面図である。（ｂ）は、本実施の形態に係る足場板を示す側面図である。
【図３】本実施の形態に係る足場ロック機構を示す側面図である。
【図４】本実施の形態に係る開閉板ロック機構のストッパピンを示す平面図である。
【図５】本実施の形態に係る開閉板ロック機構を示す正面図である。
【図６】本実施の形態に係る開閉板ロック機構の使用状態を示す拡大斜視図である。
【図７】（ａ）は、本実施の形態に係る手摺を示す正面図である。（ｂ）は、本実施の形態に係る手摺の縦フレームを示す正面図である。
【図８】本実施の形態に係る手摺ロック機構を示す拡大正面図である。
【図９】本実施の形態に係る手摺ロック機構の使用状態を示す拡大斜視図である。
【図１０】本実施の形態に係る縦支柱の連結部を示す拡大斜視図である。
【図１１】本実施の形態に係る支柱ロック機構を示す平面断面図である。
【図１２】本実施の形態に係る支柱ロック機構を示す斜視図である。
【図１３】本実施の形態に係る支柱ロック機構を示す側面図である。
【図１４】本実施の形態に係る巾木ロック機構を説明する図である。
【図１５】（ａ）は、本実施の形態に係る前後一対の巾木を示す正面図である。（ｂ）は、本実施の形態に係る前後一対の巾木を示す平面図である。（ｃ）は、本実施の形態に係る前後一対の巾木を示す側面図である。
【図１６】（ａ）は、本実施の形態に係る左右一対の巾木を示す正面図である。（ｂ）は、本実施の形態に係る左右一対の巾木を示す平面図である。（ｃ）は、本実施の形態に係る左右一対の巾木を示す側面図である。
【図１７】外周に巾木が取り付けられている本実施の形態に係る足場板を示す平面図である。
【図１８】本実施の形態に係る上部固定金具の使用状態を示す拡大斜視図である。
【図１９】（ａ）は、本実施の形態に係る下部固定金具を示す背面図である。（ｂ）は、本実施の形態に係る下部固定金具を示す側面図である。（ｃ）は、本実施の形態に係る下部固定金具の使用状態を示す図である。
【発明を実施するための形態】
【００２１】
以下に、図示した本実施の形態に基づいて、図面を参照しながら説明する。いくつかの図面を通して付された同じ符号は、同じ部品か対応する部品を示す。
【００２２】
図１に示すように、本実施の形態に係る吊り足場は、相対向する左右一対の梯子状枠体１，２と、上記梯子状枠体１，２間に架設した足場板３と、上記梯子状枠体１，２間に架設した手摺４とを備え、上記梯子状枠体１，２は、前後一対の中空な縦支柱５，６と、上記縦支柱５，６間に一定の間隔で貫通して架設された複数の筒状支持桿７とを備えている。上記足場板３は、両端が任意の上記支持桿７に着脱自在に連結されている。上記手摺４は、任意の上記支持桿７に着脱自在に連結される支持部８ａを有する左右一対の縦フレーム８，８と、上記縦フレーム８，８間に一体に架設された横フレーム９とを備えてなる。なお、横フレーム９は縦フレーム８，８間に着脱自在に架設されてもよい。
【００２３】
本発明の吊り足場は、例えば、橋梁のような巨大な構造物に対する溶接、交鋲、塗装工事などをする際の利用に向くが、利用法はこれに限定されるものではない。
【００２４】
以下、本実施の形態に係る吊り足場の構成について詳細に説明する。
【００２５】
図１に示すように、本実施の形態に係る一対の梯子状枠体１，２は、鉛直方向に延びる一対の中空な縦支柱５，６と、縦支柱５，６を外面まで貫通して連結させる複数の筒状の支持桿７で、いわゆる梯子状に形成されている。支持桿７の中空部は、縦支柱５，６の外面に開口している。
【００２６】
また、支持桿７は、縦支柱５，６に上下方向に沿って、一定の間隔で設けられており、梯子状枠体１，２を使って、別の足場板３に昇降する際の足かけ部としても利用される。
【００２７】
図１、図２（ａ）、図２（ｂ）に示すように、本実施の形態に係る足場板３は、両端部に下側に向けて開口する湾状溝１３を備えた前後一対の梁１０ａ，１０ａと、前後一対の梁１０ａ，１０ａの両側から一体に架設された左右一対の梁１０ｂ，１０ｂとで形成される足場枠１０と、足場枠１０上に敷設された踏み板１１と、踏み板１１と並べて開閉自在にヒンジ部Ｔを介してヒンジ結合された開閉板１２を備えてなる。
【００２８】
また、前後一対の梁１０ａ，１０ａの両端部には、それぞれ後述する足場板ロック機構Ｂが設けられており、足場板３は、足場板ロック機構Ｂを介して、任意の支持桿７に着脱自在に連結して、梯子状枠体１，２間に架設される。そのため、足場板３は、支持桿７が設けられている高さ位置であれば、任意の高さ位置に設置することができる。
【００２９】
図３に示すように、足場板ロック機構Ｂは、前後一対の梁１０ａ，１０ａの両端に一体に形成された湾状溝１３と、軸１４によって、梁１０ａの側面に配置されて、軸１４を中心に回動し、湾状溝１３を開閉する足場カム１５と、湾状溝１３を閉じる方向に足場カム１５を附勢するばね性に富んだリンク状のバネ部材１６とで構成されている。
【００３０】
本実施の形態に係る足場カム１５は、図３に示すように、フック状になっており、さらに先端外周が湾曲しているため、先端が下側から押されると、図中実線で示された位置から破線で示された位置、すなわち、バネ部材１６の附勢方向と反対方向に回動する。また、下からの附勢力が解除されるとバネ部材１６の附勢力で実線位置に復帰する。
【００３１】
本実施の形態に係るバネ部材１６は、図３に示すように、ねじりコイルばね構造になっており、中間が軸１４で支持され、基端が梁１０ａの側面に差し込まれ、先端が足場カム１５に設けた保止片１５ａに引っ掛けられている。なお、バネ部材１６は、ねじりコイルばね構造に限定されず、例えば、スプリングばねで足場カム１５を附勢してもよい。
【００３２】
上記構成によると、足場板３を梯子状枠体１，２間に架設する場合には、まず、梁１０ａの両端に一体に形成された湾状溝１３に向けて支持桿７を押し込むと、足場カム１５は外面が湾曲しているので、支持桿７に押されてバネ部材１６に抗して図４において時計方向に回動し、支持桿７を湾状溝１３内に収容する。その後、足場カム１５は、バネ部材１６の復元力で反時計方向に回動し、支持桿７が湾状溝１３から抜けなくする。すなわち、支持桿７が、湾状溝１３内に嵌合されると、足場カム１５を押し上げる力が働かなくなるため、足場カム１５を閉じる方向に附勢するバネ部材１６の附勢力で、足場カム１５は、湾状溝１３の入口をロックして、支持桿７の足場板３からの抜けを防止することができる。
【００３３】
なお、足場板ロック機構Ｂは、足場板３の四隅全てに設けても勿論良いが、少なくとも斜めに対向するように二カ所に設けられていれば、足場板３の両側とも抜け止めがされるため足りる。
【００３４】
また、図２（ｂ）に示すように、本実施の形態に係る開閉板１２は、ヒンジ部Ｔを介して、踏み板１１にヒンジ結合されることで、開閉自在になっているため、作業員が梯子状枠体１，２を内側から昇降して安全に足場間を移動することができる。
【００３５】
さらに、本実施の形態に係る足場板３には、図４〜図６に示すように、意図せずに開閉板１２が開いてしまうことを防止する開閉板ロック機構Ｄが備えられている。この開閉板ロック機構Ｄの構造、作用は、上記足場板ロック機構Ｂと実質的に同じである。
【００３６】
以下、開閉板ロック機構Ｄについて、詳細に説明する。
【００３７】
開閉板ロック機構Ｄは、図５に示す、前後一対の梁１０ａの内周面に足場枠１０の内方に向けて突設されたストッパピン３７と、図６に示す、固定プレート３８を介してボルトで開閉板１２に固定され、下側に湾状溝４０が設けられている開閉板用ブラケット３９と、ピンなどの軸４１によって、開閉板用ブラケット３９の上側に固定され、軸４１を中心に回動することで湾状溝４０を開閉自在にする開閉板用カム４２と、軸４１に回転自在に支持されて、開閉板用カム４２を閉方向に附勢するバネ部材４３を備えてなり、開閉板用カム４２の基端部４２ａが、開閉板１２に設けられた開口部１２ａから上方に突出されてなる。
【００３８】
開閉板用カム４２は、図６に示すように、フック状になっており、さらに先端外周が断面円弧状になっているため、開閉板用ブラケット３９を下方に押圧すると開閉板用カム４２の先端がストッパピン３７によって、下側から押される。その結果、図中実線で示された開閉板用カム４２が時計方向に回動し、破線で示された位置まで、すなわち、バネ部材４３の附勢方向と反対方向に移動する。また、湾状溝４０内にストッパピン３７が嵌合された後には、開閉板用カム４２がバネ部材４３の復元力で元の位置に戻され、開閉板用カム４２が、ストッパピン３７に係合し、開閉板１２が上方に開くのを防止する。
【００３９】
本実施の形態に係るバネ部材４３は、図５に示すように、ねじりコイルばね構造になっており、中間が軸４１で支持され、基端が梁１０ａの側面に差し込まれ、先端が開閉板用カム４２に設けた保止片４２ｂに引っ掛けられ、開閉板用カム４２を湾状溝４０を閉じる方向（図中右方向）に附勢している。なお、バネ部材４３は、ねじりコイルばね構造に限定されず、例えば、スプリングばねで開閉板用カム４２を附勢してもよい。
【００４０】
また、開閉板１２の開口部１２ａから突出している開閉板用カム４２の基端部４２ａを手動で押すことで、開閉板用カム４２が、軸４１を中心にバネ部材４３の附勢力に抗して、図中時計方向に回転し、湾状溝４０の下部が大きく開く。これにより、ストッパピン３７の上方にブラケット３９を移動でき、開閉板１２を開かせることができる。
【００４１】
つまり、本実施の形態に係るロック機構Ｄは、開閉板１２を閉じるとバネ部材４３の附勢力によって、自動的にロックされ、開閉板１２を開ける際には、カム４２の基端部４２ａを押すだけでロックを外すことができる。
【００４２】
図７（ａ）、図７（ｂ）に示すように、本実施の形態に係る手摺４は、任意の支持桿７に着脱自在に連結する支持部８ａを両端に有する左右一対の縦フレーム８，８と、縦フレーム８，８間に架設された上桟９ａと下桟９ｂからなる横フレーム９とを備え、上桟９ａと下桟９ｂの間には、補強材であるブレース１７が設けられている。
【００４３】
本実施の形態においては、ブレース１７は上桟９ａの両端から下桟９ｂの中間に向けて延びて下桟９ｂに連結されているが、手摺４の補強材として機能すれば、どのような形で設けられていてもよい。
【００４４】
図７（ｂ）、図９に示すように、縦フレーム８は、フレーム本体８ｂとフレーム本体８ｂの上下端にそれぞれ横方向に突出するロッド上の支持部８ａとでコ字状に形成されている。支持部８ａは、縦支柱５，６の外面側（反構造物Ｓ側）に開口する支持桿７の中空部に着脱自在に嵌合される。そのため、手摺４は、支持桿７が設けられている高さ位置であれば、任意の高さ位置に設置することができる。
【００４５】
なお、支持部８ａは、常にフレーム本体８ｂの端部に設けられる必要はなく、フレーム本体８ｂの任意の位置から突出させるようにしてもよい。したがって、縦フレーム８は、コの字状でなくてもよい。
【００４６】
上記構成によると、足場板３と手摺４は、支持桿７が設けられている高さであれば、任意の高さ位置に設置することができるため、作業位置に合わせて、足場板３と手摺４の高さを両方とも変更することができる。また、支持桿７は、一定の間隔で縦支柱５，６間に設けられているため、例えば、足場板３を支持桿７一段分上方に移動させた場合は、手摺４も支持桿７一段分上方に移動させることで、足場板３と手摺４の距離を一定にしたまま高さ位置を変更することが容易にできる。
【００４７】
また、支持桿７同士の間隔を１５センチメートル以上４０センチメートル以下に設定すれば、足場板３から一段分高い位置の支持桿７に手摺４を連結することで、常に法令に定められた高さ位置に手摺４を設けることができる。
【００４８】
なお、図１に示すところでは、作業に係る構造物Ｓと反対側、つまり前側の縦支柱５側に手摺４を連結させているが、構造物Ｓ側に手摺４を設けてもよい。その場合、図示しないが、横フレーム９を一本の桟のみにすることで、作業を妨げない手摺４にすることができる。
【００４９】
本実施の形態においては、図７（ａ）、図７（ｂ）および図９に示すように、手摺４の縦フレーム８の両端に設けられた支持部８ａの間に、支持部８ａが支持桿７内から抜けて、手摺４が梯子状枠体１，２の間から脱落することを防止する手摺ロック機構Ａを備えている。
【００５０】
以下、手摺ロック機構Ａについて詳しく説明する。
【００５１】
図９に示すように、手摺ロック機構Ａは、縦フレーム８に突設されたプレート状の保持金具１８と、保持金具１８に設けられた孔（図示せず）に貫通して両側からナット２０で抜け止めされて結合されたロック用リンク１９を備えてなる。
【００５２】
ロック用リンク１９は、保持金具１８から支持桿７方向に延びる水平リンク１９ａと、水平リンク１９ａの先端に水平リンク１９ａを軸にして回転自在なフック状の引っ掛け部１９ｂを設けてなる。
【００５３】
上記構成を備えることで、図８に示すように、実線の引っ掛け部１９ｂを二点鎖線で描かれた位置（支持桿７側）に回動させた場合、引っ掛け部１９ｂが支持桿７の外周に係合し、支持部８ａが支持桿７内から抜ける方向に力が働いたとしても、引っ掛け部１９ｂが縦支柱５に引っ掛かるため、支持部８ａの抜けをロックし、梯子状枠体１，２から手摺４が脱落することを防止できる。反対に、図８に実線で描かれた引っ掛け部１９ｂの位置（反支持桿７側）に二点鎖線で描かれた位置の引っ掛け部１９ｂを回動させた場合には、ロックが外れる。そのため、手摺４の取付け、取り外しが、引っ掛け部１９ｂを回動させるだけで容易にできるため、手摺４の高さ位置を変更することが容易にできる。
【００５４】
なお、図７〜図９に示すところでは、引っ掛け部１９ｂは、水平リンク１９ａの先端からフック状に延びているが、上記機能を発揮するためには、引っ掛け部１９ｂを支持桿７側に回動させたときに、支持桿７の外周に当接すれば足りるため、引っ掛け部１９ｂの形状は、Ｌ字状または棒状であってもよい。
【００５５】
図１０に示すように、本実施の形態に係る梯子状枠体１，２は、縦支柱５，６（下段支柱Ｌ）が、後述する支柱ロック機構Ｃを介して、他の梯子状枠体１，２の縦支柱５，６（上段支柱Ｈ）と上下に連結することができる。
【００５６】
図１０および図１１に示すように、支柱ロック機構Ｃは、ボルトで下段支柱Ｌの内側に下部が固定された角管状のスペーサ２１と、上段支柱Ｈとスペーサ２１の上部を貫通させて、上段支柱Ｈをスペーサ２１の上部に固定するロックピン２４と、ロックピン２４の基端側に連結され、ロックピン２４が先端側に抜けてしまうのを防止するピン保持部材２３と、ピン保持部材２３の上下および左右が異なる位置から上記ロックピン２４の先端に向けて延び、この上下および左右が異なる位置を支点にして回動するロックピン２４が基端側に抜けてしまうのを防止する抜け止めバネ２２を備えてなる。
【００５７】
この抜け止めバネ２２は、図１２および図１３に示すように、ピン保持部材２３の上下および左右が異なる位置から、それぞれ上段支柱Ｈの外周に沿ってロックピン２４の先端側に向けて延びるコの字状の長手ばね２２ａ，２２ａと長手ばね２２ａ，２２ａの先端を連結する棒状の短手ばね２２ｂとで一体に構成されており、長手ばね２２ａ，２２ａの先端は、外方に向けて僅かに傾斜してなる。
【００５８】
上記構成によると、下段支柱Ｌと上段支柱Ｈが、下段支柱Ｌに下部が固定されたスペーサ２１の上部と上段支柱Ｈをロックピン２４で貫通させることで上段支柱Ｈが下段支柱Ｌに連結される。さらに、ロックピン２４の一端に連結されているピン保持部材２３がロックピン２４の径より大きいため、ロックピン２４が、他端側に引っ張られたとしても、ピン保持部材２３が引っ掛かって抜け止めされる。また、ピン保持部材２３から延びる抜け止めバネ２２は、上下および左右異なる位置から延びているため、長手ばね２２ａ，２２ａのストローク長さが異なるので、抜け止めバネ２２を、外方へ回動させると、上段支柱Ｈ側に附勢するバネ力が発生する。
【００５９】
ロックピン２４を上段支柱Ｈとスペーサ２１に貫通させるときは、抜け止めバネ２２を外方に回動させてから、ロックピン２４を貫通させて、その後、自然状態に戻すと、上段支柱Ｈ側に附勢するバネ力によって、抜け止めバネ２２が、ロックピン２４の先端側の上段支柱Ｈの外面方向に押さえつけるため、ロックピン２４に対して、基端側に引っ張る力が働いたとしても、抜け止めバネ２２が上段支柱Ｈに引っ掛かって抜け止めされる。
【００６０】
したがって、上記支柱ロック機構Ｃによれば、梯子状枠体１，２の縦支柱５，６と他の梯子状枠体１，２の縦支柱５，６を上下に連結するロックピン２４をピン保持部材２３と抜け止めバネ２２で両側から抜け止めすることができる。
【００６１】
その結果、支柱ロック機構Ｃで着脱自在に、他の梯子状枠体１，２と連結することができるため、構造物Ｓの高さに合わせて吊り足場の長さを調整することができる。
【００６２】
図１に示すように、本実施の形態に係る足場板３の外周には、工具などが地上に落下することを防止するための巾木が前後左右各一対に起立して設けられている。
【００６３】
以下、前後一対の巾木２５，２５と、左右一対の巾木２６，２６と、これらを縦支柱５，６に着脱自在に連結する第一，第二巾木ロック機構Ｅ，Ｆについて、詳細に説明する。
【００６４】
図１５（ａ）〜（ｃ）に示すように、前後一対の巾木２５，２５は、板状の巾木本体２５ａと、巾木本体２５ａの上下端に外方に向けて一体に連設されたＬ字状の補強フレーム２５ｂ，２５ｃで構成されており、上側の補強フレーム２５ｂは、両端に第一ピン挿入孔２５ｄが設けられ、巾木本体２５ａの外周面側には、Ｌ字状の支持片２７と、一端が巾木２５から突出して外方に向けてＬ字状になっており、他端がコの字状になっている耳片２８が突設されている。また、図１４，図１５（ｂ）および図１５（ｃ）に示すように、支持片２７には、上側の補強フレーム２５ｂに設けられた第一ピン挿入孔２５ｄに対向するように縦方向にピン挿入孔２７ａが形成され、耳片２８は、巾木２５から突出しているＬ字状の一端に水平方向のロックピン挿入孔２８ａを備えてなる。
【００６５】
また、左右一対の巾木２６，２６は、図１４、１６（ａ）〜（ｄ）に示すように、板状の巾木本体２６ａと、巾木本体２６ａの上端に外方に向けて一体に連設されたＬ字状の補強フレーム２６ｂと、巾木本体２６ａの下端に足場板方向（内方）に向けて一体に連設された水平な塞ぎ板２９で構成されており、補強フレーム２６ｂの一端部には、固定ピン挿入孔３０が形成された支持板３１が連結され、補強フレーム２６ｂの他端部には、コの字状の取付フレームを保持する連結板３３が連結されてなる。
【００６６】
上記構成を備える前後一対の巾木２５，２５と左右一対の巾木２６，２６を縦支柱５，６に取り付ける巾木ロック機構は、図１４、図１７に示すように、まず前後一対の巾木２５，２５に突設されている耳片２８のコの字状の他端部を縦支柱５，６に引っ掛けるように当接させ、耳片２８の一端に設けられたロックピン挿入孔２８ａにロックピン３４を挿入することで、前後一対の巾木２５，２５を縦支柱５，６に連結する第一巾木ロック機構Ｅと、左右一対の巾木２６，２６を前後一対の巾木２５，２５間に上から嵌めこんで架設し、左右一対の巾木２６，２６の他端部に設けられたコの字状の取付フレーム３２を縦支柱５，６のいずれか一方と嵌合し、一端部に設けられた支持板３１の固定ピン挿入孔３０と、前後一対の巾木２５，２５の補強フレーム２５ｂに設けられた第一ピン挿入孔２５ｄと、支持片２７に設けられた第二ピン挿入孔２７ａを対向させて、固定ピン挿入孔３０と第一，第二ピン挿入孔２５ｄ，２７ａに固定ピン３６を挿入することで、前後一対の巾木２５，２５と左右一対の巾木２６を連結するとともに、縦支柱５，６に連結される第二巾木ロック機構Ｆからなる。
【００６７】
前後一対の巾木２５，２５と縦支柱５，６を連結するロックピン３４は、支柱ロック機構Ｃのロックピンを抜け止めする構造と同様の構造であるため、説明を省略する。また、ここで使用される前後一対の巾木２５，２５と縦支柱５，６の連結手段は、ロックピン３４に限られず、例えばボルトとナットで固定されてもよい。
【００６８】
これによって、前後一対の巾木２５，２５と左右一対の巾木２６は、足場板３の外周に起立して設置される。
【００６９】
なお、巾木２６，２６の下端に足場板方向（内方）に向けて一体に連設された塞ぎ板２９は、図１７で示すように、巾木２６，２６が嵌めこまれると同時に、足場板３と支持桿７の隙間を塞ぎ、工具等の落下を防ぐことができる。
【００７０】
上記巾木ロック機構によれば、前後一対の巾木２５，２５と左右一対の巾木２６，２６で足場板３を囲うようにする場合に、すべての接地面をボルトや接着剤で連結する場合に比べて、ロックピン３４と固定ピン３６を抜くだけで取り外すことができ、巾木を再利用することができる。
【００７１】
なお、巾木の設置方法は、足場板３の高さ位置の変更に合わせて変更できるのであれば、上記方法に限られず、例えば、足場板３にワイヤー等で括り付けるなどの方法であってもよい。
【００７２】
本実施の形態に係る吊り足場は、図１に示すように、上部固定金具４４によって、構造物Ｓに吊持され、下部固定金具４５によって、構造物Ｓが、揺れ止めされている。
【００７３】
以下、上部固定金具４４と下部固定金具４５について、詳細に説明する。
【００７４】
上部固定金具４４は、図１８に示すように、後側の縦支柱６にボルトで連結されるＬ字プレート４６と、Ｌ字プレート４６にＩ字プレート４７を介して連結され、構造物Ｓ側に向かって延びるロッド部４８と、ロッド部４８の外周に沿って摺動可能なフック金具４９と、フック金具４９を位置決めする蝶ナット５４を備えてなる。
【００７５】
フック金具４９は、ロッド部４８に挿入されてロッド部４８の外周に摺動可能な筒部４９ａと構造物Ｓの上面奥側端部に引っ掛けることが可能なフック部４９ｂを有する。
【００７６】
上記構成を備えることで、フック金具４９のフック部４９ｂを構造物Ｓの上端に引っ掛けてから、蝶ナット５４でフック金具４９を構造物Ｓとの間に挟むことで、フック金具４９の位置を決定し、吊り足場を吊持することができる。
【００７７】
また、本実施の形態においては、梯子状枠体１，２の側面にボルト孔（付示せず）を設けているため、Ｌ字プレート４６を任意の箇所に連結できる。なお、このボルト孔（付示せず）は、ピン用の孔としても利用でき、他の用途、例えば、前後一対の巾木２５，２５を縦支柱６に連結するロックピン３４を挿入するための孔に利用することもできる。
【００７８】
下部固定金具４５は、図１９（ａ）〜（ｃ）に示すように、後側の縦支柱６に連結するためのボルト孔５０ａ，５０ａが対向するように両側に設けられるコの字状の連結プレート５０と、連結プレート５０の中間に貫通し、溶接して固定される基ロッド５１と、基ロッド５１に胴体枠５２を介して連結されるフックロッド５３を備え、フックロッド５３の先端に、構造物Ｓの下端に引っ掛けることが可能なフック部５３ａを有し、基ロッド５１と胴体枠５２とフックロッド５３とでターンバックル構造を構成してなる。
【００７９】
基ロッド５１とフックロッド５３の胴体枠５２との連結側にボルトになっており、胴体枠５２は、両端内周に互いに反対向きのネジ山が切られているため、胴体枠５２を回転させると、胴体枠５２に連結している基ロッド５１とフックロッド５３が胴体枠５２内で近づいたり、離れたりして、下部固定金具４５を伸縮させることができる。そのため、下部固定金具４５によって、構造物Ｓの揺れ止めをする際に、構造物Ｓとの距離によって、下部固定金具４５の長さを微調整することができる。
【００８０】
なお、下部固定金具４５は、上部固定金具４４を固定するために梯子状枠体１，２の側面に設けられているボルト孔（付示せず）を利用して、構造物Ｓの大きさに合わせて、任意の位置に設けることができる。
【００８１】
また、本実施の形態に係る吊り足場は、地上で構造物Ｓに組付けられてから、構造物Ｓと共にクレーンで上方に引き上げられて設置される。
【００８２】
また、高さ位置を変更する際には、まず、下層の足場板３の位置から作業員が手作業で高さ位置を変更したい足場板３の取り外しと取り付けを行い、次に、高さ位置を変更した足場板３の位置から作業員が手作業で手摺４の取り外しと取り付けを行うことで、高所であっても足場板３と手摺４の高さ位置を変更できる。
【００８３】
以上、本発明の好ましい実施の形態を詳細に説明したが、特許請求の範囲から逸脱することなく改造、変形及び変更を行うことができることは理解すべきである。
【符号の説明】
【００８４】
１、２  梯子状枠体
３  足場板
４  手摺
５，６  縦支柱
７  支持桿
８  縦フレーム
８ａ  支持部
９  横フレーム
１０  足場枠
１０ａ  前後一対の梁
１０ｂ  左右一対の梁
１１  踏み板
１２  開閉板
１２ａ  開口部
１３  湾状溝
１４  軸
１５  足場カム
１６  バネ部材
１８  保持金具
１９  ロック用リンク
１９ａ  水平リンク
１９ｂ  引っ掛け部
２１  スペーサ
２２  抜け止めバネ
２３  ピン保持部材
２４  ロックピン
２５  前後の巾木
２５ａ  巾木本体
２５ｂ  補強フレーム
２５ｄ  ピン挿入孔
２６  左右の巾木
２６ａ  巾木本体
２６ｂ  補強フレーム
２７  支持片
２７ａ  ピン挿入孔
２８  耳片
２８ａ  ロックピン挿入孔
３０  挿入孔
３１  支持板
３２  取付フレーム
３３  連結板
３４  ロックピン
３６  固定ピン
３７  ストッパピン
３９  開閉板用ブラケット
４１  軸
４２  開閉板用カム
４２ａ  基端部
４３  バネ部材
Ａ  手摺ロック機構
Ｂ  足場板ロック機構
Ｃ  支柱ロック機構
Ｄ  開閉板ロック機構
Ｅ  第一巾木ロック機構
Ｆ  第二巾木ロック機構
Ｈ  上段支柱
Ｌ  下段支柱
【図１】
0006491449.tif 000002
【図２】
0006491449.tif 000003
【図３】
0006491449.tif 000004
【図４】
0006491449.tif 000005
【図５】
0006491449.tif 000006
【図６】
0006491449.tif 000007
【図７】
0006491449.tif 000008
【図８】
0006491449.tif 000009
【図９】
0006491449.tif 000010
【図１０】
0006491449.tif 000011
【図１１】
0006491449.tif 000012
【図１２】
0006491449.tif 000013
【図１３】
0006491449.tif 000014
【図１４】
0006491449.tif 000015
【図１５】
0006491449.tif 000016
【図１６】
0006491449.tif 000017
【図１７】
0006491449.tif 000018
【図１８】
0006491449.tif 000019
【図１９】
0006491449.tif 000020